(57)【要約】【課題】設置現場において、壁面のカーブ部分に適合するようカーブ部分に位置する芯材を自由に湾曲処理でき、しかも強度低下をきたすことなく安全性に優れた手すりを提供する。【解決手段】手すりの直線部分に金属芯材１を配し、手すりの湾曲部分に、金属芯材１と同様に、断面がほぼＣ字状の被覆材６が嵌着可能な形状の軟質または半硬質の熱可塑性合成樹脂製の樹脂芯材１０を配し、この樹脂芯材１０を所定の円弧に湾曲処理して金属芯材１に連結固定し、金属芯材１とこの樹脂芯材１０とを長尺の被覆材６で被覆して手すりとなした。【選択図】        図１
2005002758.tif 000002
【特許請求の範囲】
【請求項１】
断面がほぼＣ字状の被覆材が嵌着可能な外形をなし、長さ方向に下面側が開口され、かつその開口部と全長にわたって連通の空洞部を備えた金属芯材が手すりの直線部分に配設され、上記被覆材が嵌着可能な外形をなし、長さ方向に空洞部を備えた湾曲処理された軟質または半硬質の熱可塑性合成樹脂製の樹脂芯材が手すりの湾曲部分に配され、この金属芯材と樹脂芯材のそれぞれの端部の空洞部にジョイントバーが嵌入されて連結固定され、連結固定された金属芯材と樹脂芯材が断面Ｃ字状の長尺の被覆材により被覆されていることを特徴とする手すり。
【請求項２】
上記樹脂芯材の湾曲部分の空洞部内に、軟質または半硬質の熱可塑性合成樹脂製の補強材が挿入されていることを特徴とする請求項１記載の手すり。
【発明の詳細な説明】
【０００１】
【発明の属する技術分野】
本発明は、手すり、詳しくは出隅や入隅のある壁面、曲がりのある階段などに装架するのに好適な手すりに関するものである。
【０００２】
【従来の技術】
近年、老齢化社会に対応して各種の建物の通路や階段に手すりが配設されるに至っている。手すりには場所や利用者や従来状況に応じてその形態は異なるが、病院や施設等の手すりとしては、一般に図５および図６に示しているように、長さ方向に下面側が開口２され、その開口部と連通し、ジョイントバーが嵌入可能な空洞部３を備えたアルミニウムの引き抜き成型加工によって製造されたものを金属芯材１として使用し、この金属芯材１の下面側の開口２に支持ブラケット４の上端部を挿入して壁面５の所望の高さに取り付けたのち、金属芯材１の外周に長尺にして断面がＣ字状をなした軟質合成樹脂製の被覆材６を被せて手すりとなしたものが汎用されている。
【０００３】
【発明が解決しようとする課題】
ところで手すりの設置壁面に出隅や人隅といわれるコーナー部分が存在している場合は、この出隅や入隅部分の手すりは円弧状に湾曲させることが要求される。この湾曲部分の芯材としては、上記したアルミニウム製の芯材を工場で所定のカーブに曲げ加工したものが使用されているが、曲げ加工するには多大の労力と時間がかかると共に設計通りに正確な円弧に仕上げるには高度な技術を必要とするばかりではなく、一旦曲げ加工された芯材の湾曲度合いと壁面のコーナー部との間で曲げ具合について過不足があった場合には、設置作業の現場においてその湾曲度合いを調整をすることには大変な困難があった。
【０００４】
上記不都合は実開昭６２−１２４１３３号公報に開示されているように、金属製の笠木芯材（公報における金属リテイナ）の湾曲部に複数の切溝を設けることによってある程度改善できる。しかしながらこの方法においては、その溝切り作業に多大の時間と労力を必要とするばかりでなく切溝が設けられた湾曲部は強度の低下をきたし安全性に問題があった。
【０００５】
【課題を解決するための手段】
本発明は、直線部分には、従来同様に金属製の笠木芯材（以下金属芯材という）を用い、手すりの湾曲部分には、軟質または半硬質の熱可塑性合成樹脂製の笠木芯材（以下樹脂芯材という）を用いて所望の円弧に湾曲処理し、両芯材をそれぞれの端部において連結固定することにより上記課題を解決したものである。
【０００６】
即ち、本発明の手すりは、断面がほぼＣ字状の被覆材が嵌着可能な外形をなし、長さ方向に下面側に開口を有し、かつその開口部と全長にわたって連通の空洞部を備えた金属芯材が手すりの直線部分に配設され、上記被覆材が嵌着可能な外形をなし、長さ方向に空洞部を備えて湾曲処理された樹脂芯材が手すりの湾曲部分に配され、この金属芯材と樹脂芯材のそれぞれの端部の空洞部に角軸のジョイントバーが嵌入されて連結固定され、連結固定された金属芯材と樹脂芯材が断面Ｃ字状の長尺の被覆材により被覆されていることを特徴としているものである。
【０００７】
手すりのコーナー部分に用いる上記樹脂芯材には、手すりの取り付け施工現場において熱湯やバーナーで湾曲処理することができる軟質塩化ビニールまたは半硬質塩化ビニールが好ましく適用することができる。またこの樹脂芯材の断面の形状は、断面がほぼＣ字状の軟質樹脂製の被覆材が金属芯材と同様に嵌着できる外形をなし、空洞部は金属芯材の空洞部と同心位置の長さ方向に備えたものであればよい。そしてこの樹脂芯材の長さは２５ｃｍ前後で、湾曲処理によって所定の円弧状となした湾曲部分の両側に５〜７ｃｍ程度の直線部分が残る長さであればよい。
【０００８】
【発明の実施の形態】
以下本発明の実施の形態を実施例として示した図面に基づいて説明すると、図１は本発明の手すりを壁面の出隅部分に配設した状態を示した部分断面平面図、図２は金属芯材と樹脂芯材との連結状態を示した部分断面平面図、図３は樹脂芯材の部分断面側面図、そして、図４は樹脂芯材の断面形状を示す正面図である。
【０００９】
本発明の手すりは図１および図２に示しているように、壁面５に沿った直線部分には金属芯材１を配する。この金属芯材１は、断面がほぼＣ字状の熱可塑性軟質合成樹脂製の被覆材６が嵌着可能な外形をなし、その長さ方向の下面側が開口２され、かつ角軸のジョイントバーが嵌入可能な空洞部３を備えている。そして壁面５のコーナー部分には、図３および図４に示しているように、上記被覆材６が嵌着可能な外形をなし、長さ方向にジョイントバーが嵌入可能な空洞部１１を備えた半硬質塩化ビニール樹脂製の樹脂芯材１０が使用されている。この樹脂芯材１０は、その両側に５〜７ｃｍの直線部分１０Ａを残して熱湯もしくはバーナーでもって温めて所定の円弧に湾曲処理し、この湾曲処理した樹脂芯材１０と上記金属芯材１のそれぞれの空洞部１１と３に、金属または硬質合成樹脂製の角軸のジョイントバー１２を嵌入して両芯材１、１０を連結固定するとともに、金属芯材１を図５に示しているようにブラケット４でもって支持し、しかるのち金属芯材１と樹脂芯材１０を断面がＣ字状の長尺の被覆材６で被覆して手すりとなしたものである。
【００１０】
上記した樹脂芯材１０の形状については特に限定を要するものではなく、断面形状は図５に示しているような従来の金属芯材１の断面形状の輪郭に近似し、金属芯材１の空洞部３と同心位置にジョイントバーが嵌入可能な空洞部１１を有し、下面側の両側に被覆材６の端縁を係止できる突条１３、１３を備えたものであればよく、また図４に示しているように、左右の側面をやや削り落としたような円形断面形にしておけば、湾曲処理がより容易にかつ的確に行うことができる。
【００１１】
また上記樹脂芯材１０を湾曲処理するに際し、その空洞部１１内の湾曲部分の位置に、軟質または半硬質合成樹脂製の角形の棒状の補強材を挿入しておくことも本発明の好ましい実施の形態であり、この補強材の挿入によって、湾曲処理時における樹脂芯材１０の変形を防止することができるとともに湾曲部分の補強に役立つ。図２の１４はこの補強材を示している。
【００１２】
湾曲処理した樹脂芯材１０を金属芯材１の端部に不抜状態に連結するには、図２に示しているように、金属芯材１の端部の空洞部３に予め角軸のジョイントバー１２の一半部を嵌入してビス１５で固定しておき、その他半部を樹脂芯材１０の直線部分１０Ａの空洞部１１内に挿入したのち、その挿入部分を樹脂芯材１０の下面側からビス１５でもって固定すればよい。
【００１３】
なお連結固定した両芯材１、１０の外側への被覆材６の被覆は、従来同様に、軟質合成樹脂製の被覆材６を熱湯などで軟化させ、図６に示しているように下面側の開口部７を広げて両芯材１、１０に巻きつけるようにして被せて両芯材１、１０の外周に嵌着した。嵌着後、被覆材６の温度の低下とともに被覆材６は成型時の元の形に収縮復元すると同時に被覆材６の内面が両芯材１、１０の外表面に圧着し、両芯材１、１０と一体化する。
【００１４】
【発明の効果】
このように本発明の手すりは、断面がほぼＣ字状の被覆材６が嵌着可能な外形をなし、長さ方向に下面側が開口２され、かつその開口部と全長にわたって連通の空洞部３を備えた金属芯材１が手すりの直線部分に配設され、上記被覆材６が嵌着可能な外形をなし、長さ方向にジョイントバーが嵌入可能な空洞部１１を備えて湾曲処理された軟質または半硬質の樹脂芯材１０が手すりの湾曲部分に配され、この金属芯材１と樹脂芯材１０のそれぞれの端部の空洞部３、１１にジョイントバー１２が嵌入されて連結固定され、連結固定された金属芯材１と樹脂芯材１０が断面Ｃ字状の長尺の被覆材６により被覆されてなるものであり、次のような実用上有益な効果を達成することができる。
【００１５】
手すりのコーナー部分の芯材を樹脂芯材１０で構成するものであるから、手すりの取り付け作業現場において、出隅や入隅を問わず壁面５のコーナーに適合した曲率に容易に湾曲処理することができ、また湾曲処理に過不足があっても容易に修正することができる。さらに樹脂芯材１０が金属芯材１と同様に被覆材６を被覆可能な形をなしているから、強度的にも不安がなく、かつ手すりの湾曲部分が恰も予め湾曲処理された金属芯材１によって構成されて被覆材６が被覆された手すりと同様な均整にして手触りに変化のない美麗な手すりを安価に提供することができる。
【００１６】
また樹脂芯材１０には金属芯材１と同様な空洞部１１を有していて、金属芯材１と樹脂芯材１０とのそれぞれの端部の空洞部３、１１にはジョイントバー１２が挿入されて連結固定されているから、連結部分がずれ動くことがなく、被覆材６の被覆作業を円滑に行うことができる。
【００１７】
さらに樹脂芯材１０の湾曲部分の空洞部１１内に、軟質樹脂または半硬質樹脂製の補強材１４を挿入して湾曲処理した場合においては、湾曲処理時における樹脂芯材１０の変形を防止することができるとともに湾曲部分の補強に役立つ。
【図面の簡単な説明】
【図１】本発明手すりの実施例を示した部分断面平面図である。
【図２】本発明手すりの金属芯材と樹脂芯材との結合状態を示した部分断面平面図である。
【図３】樹脂芯材の部分断面側面図である。
【図４】樹脂芯材の断面形状を示した正面図である。
【図５】直線部分の手すりの取り付け状態を示した断面図である。
【図６】芯材への被覆材の嵌着状態を示した斜視図である。
【符号の説明】
１  金属芯材
２  金属芯材の下面側の開口
３  金属芯材の空洞部
４  支持ブラケット
５  壁面
６  被覆材
１０  樹脂芯材
１１  樹脂芯材の空洞部
１２  ジョイントバー
１３  突条
１４  補強材
【図１】
2005002758.tif 000003
【図２】
2005002758.tif 000004
【図３】
2005002758.tif 000005
【図４】
2005002758.tif 000006
【図５】
2005002758.tif 000007
【図６】
2005002758.tif 000008